【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
液滴を吐出するノズル孔に連通する吐出室と、
該吐出室の底部に形成される振動板と、
該振動板に所定のギャップを介して対向配置された複数の個別電極と、
前記振動板と前記個別電極の間に電圧を印加して静電気力を発生させる駆動手段とを備え、
前記各個別電極は、
短手方向に３分割され、分割された個々の電極片のうちの中央に位置する電極片は、他の２つの電極片よりも短手方向の幅を広く形成し、
分割された個々の電極片が、該個々の電極片よりも電気抵抗の高い高抵抗部で電気的に結合され、
前記高抵抗部は、
前記中央に位置する電極片に流れる電荷の進行方向の奥側に配置され、
前記個別電極と同じ素材からなり、かつ前記分割された個々の電極片よりも断面積が狭く形成され、
前記駆動手段は、
液滴吐出量が多くなるように制御する際には、
前記振動板と前記個別電極の間に電圧を印加する時間を長くして、前記中央に位置する電極片、及び前記他の２つの電極片に電荷を充填し、前記振動板と前記個別電極の短手方向の当接幅を広くし、
液滴吐出量が少なくなるように制御する際には、
前記振動板と前記個別電極の間に電圧を印加する時間を短くして、前記中央に位置する電極片に電荷を充填し、前記振動板と前記個別電極の短手方向の当接幅を狭くする
ことを特徴とする液滴吐出ヘッド。
【請求項２】
請求項１記載の液滴吐出ヘッドを備えたことを特徴とする液滴吐出装置。
【請求項３】
液滴を吐出するノズル孔に連通する吐出室と、
該吐出室の底部に形成される振動板と、
該振動板に所定のギャップを介して対向配置された複数の個別電極と、
前記振動板と前記個別電極の間に電圧を印加して静電気力を発生させる駆動手段とを備え、
前記各個別電極が、短手方向に３分割され、分割された個々の電極片のうちの中央に位置する電極片は、他の２つの電極片よりも短手方向の幅を広く形成し、分割された個々の電極片が、該個々の電極片よりも電気抵抗の高い高抵抗部で電気的に結合され、
前記高抵抗部が、前記中央に位置する電極片に流れる電荷の進行方向の奥側の端部に配置され、前記個別電極と同じ素材からなり、かつ前記分割された個々の電極片よりも断面積が狭く形成されている液滴吐出ヘッドの駆動方法であって、
前記静電気力により前記振動板と前記個別電極を当接させるステップと、
静電気力を弱めることにより前記振動板と前記個別電極の当接を解放し、前記吐出室内の液体圧力変動を発生させて、前記ノズル孔より液滴を吐出させるステップと、
を有し、
液滴吐出量が多くなるように制御する際には、
前記振動板と前記個別電極の間に電圧を印加する時間を長くして、前記中央に位置する電極片、及び前記他の２つの電極片に電荷を充填し、前記振動板と前記個別電極の短手方向の当接幅を広くし、
液滴吐出量が少なくなるように制御する際には、
前記振動板と前記個別電極の間に電圧を印加する時間を短くして、前記中央に位置する電極片に電荷を充填し、前記振動板と前記個別電極の短手方向の当接幅を狭くする
ことを特徴とする液滴吐出ヘッドの駆動方法。
【請求項４】
前記個別電極の分割された個々の電極片の時定数に基づいて、
前記振動板と前記個別電極の間に電圧を印加する時間を調整することを特徴とする請求項３に記載の液滴吐出ヘッドの駆動方法。
【手続補正２】
【補正対象書類名】明細書
【補正対象項目名】０００５
【補正方法】変更
【補正の内容】
【０００５】
本発明に係る液滴吐出ヘッドは、液滴を吐出するノズル孔に連通する吐出室と、該吐出室の底部に形成される振動板と、該振動板に所定のギャップを介して対向配置された複数の個別電極と、前記振動板と前記個別電極の間に電圧を印加して静電気力を発生させる駆動手段とを備え、前記各個別電極は、短手方向に３分割され、分割された個々の電極片のうちの中央に位置する電極片は、他の２つの電極片よりも短手方向の幅を広く形成し、分割された個々の電極片が、該個々の電極片よりも電気抵抗の高い高抵抗部で電気的に結合され、前記高抵抗部は、前記中央に位置する電極片に流れる電荷の進行方向の奥側に配置され、前記個別電極と同じ素材からなり、かつ前記分割された個々の電極片よりも断面積が狭く形成され、前記駆動手段は、液滴吐出量が多くなるように制御する際には、前記振動板と前記個別電極の間に電圧を印加する時間を長くして、前記中央に位置する電極片、及び前記他の２つの電極片に電荷を充填し、前記振動板と前記個別電極の短手方向の当接幅を広くし、液滴吐出量が少なくなるように制御する際には、前記振動板と前記個別電極の間に電圧を印加する時間を短くして、前記中央に位置する電極片に電荷を充填し、前記振動板と前記個別電極の短手方向の当接幅を狭くする。
そのため、駆動電圧パルスを適切に制御して、液滴吐出量をコントロールすることが可能となる。
また、段差構造などの複雑な構造を有さないため簡単に製造することができるので、製造工程の簡易化の観点から上記従来技術と比較して有利である。
また、短手方向に分割しているため、電荷の充填時間は個別電極を分割しない構造を有する場合と同程度であり、動作速度を低下させることなく、液滴吐出量をコントロールすることが可能となる。
【手続補正３】
【補正対象書類名】明細書
【補正対象項目名】００１０
【補正方法】変更
【補正の内容】
【００１０】
また、本発明に係る液滴吐出ヘッドにおいては、前記駆動手段は、液滴吐出量が多くなるように制御する際には、前記振動板と前記個別電極の間に電圧を印加する時間を長くして、前記中央に位置する電極片、及び前記他の２つの電極片に電荷を充填し、前記振動板と前記個別電極の短手方向の当接幅を広くし、液滴吐出量が少なくなるように制御する際には、前記振動板と前記個別電極の間に電圧を印加する時間を短くして、前記中央に位置する電極片に電荷を充填し、前記振動板と前記個別電極の短手方向の当接幅を狭くする。
そのため、上記液滴吐出ヘッドの短手方向に分割された構造を利用して、液滴吐出量を制御することができる。
また、個別電極の長手方向の段差構造によりインク吐出量を制御する場合であっても、同様の駆動方法により、その長手方向の構造による制御に加えて、液滴吐出量をさらに細かく制御することができる。
【手続補正４】
【補正対象書類名】明細書
【補正対象項目名】００１２
【補正方法】変更
【補正の内容】
【００１２】
また、本発明に係る液滴吐出ヘッドの駆動方法は、液滴を吐出するノズル孔に連通する吐出室と、該吐出室の底部に形成される振動板と、該振動板に所定のギャップを介して対向配置された複数の個別電極と、前記振動板と前記個別電極の間に電圧を印加して静電気力を発生させる駆動手段とを備え、前記各個別電極が、短手方向に３分割され、分割された個々の電極片のうちの中央に位置する電極片は、他の２つの電極片よりも短手方向の幅を広く形成し、分割された個々の電極片が、該個々の電極片よりも電気抵抗の高い高抵抗部で電気的に結合され、前記高抵抗部が、前記中央に位置する電極片に流れる電荷の進行方向の奥側の端部に配置され、前記個別電極と同じ素材からなり、かつ前記分割された個々の電極片よりも断面積が狭く形成されている液滴吐出ヘッドの駆動方法であって、前記静電気力により前記振動板と前記個別電極を当接させるステップと、静電気力を弱めることにより前記振動板と前記個別電極の当接を解放し、前記吐出室内の液体圧力変動を発生させて、前記ノズル孔より液滴を吐出させるステップと、を有し、液滴吐出量が多くなるように制御する際には、前記振動板と前記個別電極の間に電圧を印加する時間を長くして、前記中央に位置する電極片、及び前記他の２つの電極片に電荷を充填し、前記振動板と前記個別電極の短手方向の当接幅を広くし、液滴吐出量が少なくなるように制御する際には、前記振動板と前記個別電極の間に電圧を印加する時間を短くして、前記中央に位置する電極片に電荷を充填し、前記振動板と前記個別電極の短手方向の当接幅を狭くするものである。
そのため、上記液滴吐出ヘッドの短手方向に分割された構造を利用して、駆動電圧パルスの印加時間のみにより、液滴吐出量を制御することができる。
また、個別電極の長手方向の段差構造によりインク吐出量を制御する場合であっても、同様の駆動方法により、その長手方向の構造による制御に加えて、液滴吐出量をさらに細かく制御することができる。
【手続補正５】
【補正対象書類名】明細書
【補正対象項目名】００１３
【補正方法】削除
【補正の内容】